(57)【特許請求の範囲】
【請求項１】
メールアドレス及び題名と、画像のカテゴリを識別するための付加情報が付加された１つ以上の画像データとを保持する記憶部と、
前記記憶部に保持されたメールアドレス及び題名と、受信メールの送信元アドレス及び題名とが一致するか否かを判定するメール送受信部と、
前記メール送受信部で一致すると判定されたことをトリガーとして、前記記憶部にて保持された前記１つ以上の画像データから付加情報を抽出し、前記抽出した付加情報と前記受信メールに添付された画像データに付加された付加情報とが一致するかどうかを判定する判定部と、
前記判定部により一致すると判定された場合に、前記受信メールに添付された画像データを待ち受け画像として設定する待ち受け画像設定部と、
を有することを特徴とする無線通信装置。
【請求項２】
前記記憶部は、前記１つ以上の画像データとして、前記カテゴリを識別するためのＥＸＩＦ付加情報が付加された１つ以上のＥＸＩＦを保持する、
ことを特徴とする請求項１に記載の無線通信装置。
【請求項３】
前記メール送受信部は、前記受信メールに添付された画像データに付加された付加情報と一致する付加情報が前記記憶部に保持されていない場合に、前記記憶部に保持された画像データに付加された付加情報から識別されるカテゴリを含む返信メールを、前記受信メールの発信元に返信する、
ことを特徴とする請求項１または２に記載の無線通信装置。
【請求項４】
前記メール送受信部は、前記待ち受け画像を設定した後、その旨の返信メールを前記受信メールの発信元に返信する、
ことを特徴とする請求項３に記載の無線通信装置。
【請求項５】
記憶部に保持されたメールアドレス及び題名と、受信メールの送信元アドレス及び題名とが一致するか否かを判定し、
前記記憶部に保持されたメールアドレス及び題名と、受信メールの送信元アドレス及び題名とが一致することをトリガーとして、前記記憶部にて保持され且つ画像のカテゴリを識別するための付加情報が付加された１つ以上の画像データから付加情報を抽出し、
前記抽出した付加情報と前記受信メールに添付された画像データに付加された付加情報とが一致するかどうかを判定し、
前記抽出した付加情報と前記受信メールに添付された画像データに付加された付加情報とが一致する場合に、前記受信メールに添付された画像データを待ち受け画像として設定する、
処理をコンピュータに実行させることを特徴とする画像設定プログラム。
【発明の詳細な説明】
【技術分野】
【０００１】
本発明は、待ち受け画像を表示可能な無線通信装置および画像設定プログラムに関する。
【背景技術】
【０００２】
従来から、受信したメールに添付された画像を待ち受け画像として設定および表示する機能を持った携帯電話機がある。たとえば、下記特許文献１に記載されている上記の機能を持った携帯電話機は、受信メールの発信元メールアドレスおよびメールの題名が、予め指定しておいたメールアドレスおよび題名と完全に一致した場合に、受信メールに添付された画像を待ち受け画像として設定および表示する。
【０００３】
また、携帯電話機の待ち受け画像を設定する他の技術として、保有する画像の重要度に応じたランキングに基づいて待ち受け画像を設定する技術、が下記特許文献２に開示されている。
【先行技術文献】
【特許文献】
【０００４】
【特許文献１】特開２０１０−２８３４７０号公報
【特許文献２】特開２００７−３１８２０８号公報
【発明の概要】
【発明が解決しようとする課題】
【０００５】
しかしながら、上記特許文献１に記載の技術は、待ち受け画像の選定がメールの送信者に任されているため、表示された待ち受け画像が携帯電話機の所有者の好みに合わない場合がある、という問題があった。
【０００６】
また、上記特許文献２に記載の技術は、重要度判定テーブルに基づいて重要度の計算が行われるが、保有するすべての画像の中から所望の画像を自動的に待ち受け画像とするためには、緻密なテーブル設定が必要になる、という問題があった。
【０００７】
開示の技術は、上記に鑑みてなされたものであって、簡単な設定で、ユーザの好みに合った待ち受け画像を遠隔から設定可能な無線通信装置および画像設定プログラムを提供することを目的とする。
【課題を解決するための手段】
【０００８】
本願の開示する無線通信装置は、一つの態様において、画像のカテゴリを識別するための付加情報が付加された１つ以上の画像データを保持する記憶部と、受信メールに添付された画像データに付加された付加情報を取得し、前記記憶部にて保持された１つ以上の画像データから抽出した付加情報の中に、当該受信メールに添付された画像データに付加された付加情報と一致する付加情報があるかどうかを判定する判定部と、前記判定部により一致する付加情報があると判定された場合に、前記受信メールに添付された画像データを待ち受け画像として設定する待ち受け画像設定部と、を有する。
【発明の効果】
【０００９】
本願の開示する無線通信装置の一つの態様によれば、簡単な設定で、ユーザの好みに合った待ち受け画像を遠隔から設定することができる、という効果を奏する。
【図面の簡単な説明】
【００１０】
【図１】図１は、待ち受け画像設定処理の概要を示すフローチャートである。
【図２−１】図２−１は、ＥＸＩＦの付加情報のフォーマットを示す図である。
【図２−２】図２−２は、ＥＸＩＦの付加情報のフォーマットを示す図である。
【図３】図３は、携帯電話機のハードウェア構成例を示す図である。
【図４】図４は、携帯電話機の機能ブロック構成の一例を示す図である。
【図５】図５は、待ち受け画像設定処理を示すフローチャートである。
【図６】図６は、図５の「待ち受け画像設定」を示すフローチャートである。
【図７】図７は、図６の「フォルダ画像カテゴリ抽出」を示すフローチャートである。
【図８−１】図８−１は、カテゴリ抽出ワークエリアの一例を示す図である。
【図８−２】図８−２は、カテゴリ抽出ワークエリアの一例を示す図である。
【発明を実施するための形態】
【００１１】
以下に、本願の開示する無線通信装置および画像設定プログラムの実施例を図面に基づいて詳細に説明する。なお、以下の実施例では、無線通信装置の一例として携帯電話機について説明を行うが、この実施例によりこの発明が限定されるものではない。
【実施例１】
【００１２】
図１は、本実施例の携帯電話機による待ち受け画像設定処理の概要を示すフローチャートである。まず、待ち受け画像設定処理の前提として、ユーザは、自身の所有する携帯電話機の「お気に入りフォルダ」に自身が好む１枚以上の画像（以下、お気に入り画像と呼ぶ）を登録しておく。この際、ユーザは、所定のアプリケーションを利用して、登録するお気に入り画像のＥＸＩＦに、付加情報として「カテゴリ」を設定する。図２（図２−１，図２−２に対応）は、ＥＸＩＦ付加情報のフォーマットの一例を示す図である。たとえば、図２−１に示すようにネコの画像を登録する場合は、ネコの画像データ（バイナリ）に、データの形式として「ＥＸＩＦ  ｔｙｐｅ：ＡＳＣＩＩ」、「ＥＸＩＦ  ＩＤ：ｃａｔｅｇｏｌｙ」として「ネコ」、という付加情報を設定する。また、図２−２に示すようにキツネの画像を登録する場合は、キツネの画像データ（バイナリ）に、データの形式として「ＥＸＩＦ  ｔｙｐｅ：ＡＳＣＩＩ」、「ＥＸＩＦ  ＩＤ：ｃａｔｅｇｏｌｙ」として「キツネ」、という付加情報を設定する。なお、本実施例では、ＥＸＩＦ付加情報の一例として「ＥＸＩＦ  ＩＤ：ｃａｔｅｇｏｌｙ（カテゴリ情報）」を設定することとしたが、これに限るものではなく、ＥＸＩＦ付加情報としては、画像タイプ（カテゴリ）を識別可能な情報であればどのような情報であってもよい。以下、「お気に入りフォルダ」に「ネコ」と「キツネ」のお気に入り画像を登録する場合について説明する。
【００１３】
また、ユーザは、自身の携帯電話機に、遠隔からの待ち受け画像の入れ替えを許可する発信元メールアドレスおよびメールの題名、を登録する。ここでは、メールの題名の一例として「待ち受け画像入替えメール」を登録する。
【００１４】
本実施例の携帯電話機は、上記お気に入り画像および発信元メールアドレス等の登録が完了した状態で、図１に示す処理を行う。
【００１５】
図１において、本実施例の携帯電話機は、メールを受信した場合、受信したメールが待ち受け画像の入れ替えを許可した発信元からメールであって、かつそのメールの題名が「待ち受け画像入替えメール」であるかどうかを判断する（Ｓ１）。たとえば、受信メールの発信元メールアドレスまたは題名が登録情報と一致しなかった場合（Ｓ１，Ｎｏ）、本実施例の携帯電話機は、通常のメール受信処理を実行する（Ｓ４）。
【００１６】
一方、受信メールの発信元メールアドレスおよび題名が登録情報と一致した場合（Ｓ１，Ｙｅｓ）、本実施例の携帯電話機は、受信メールに添付された画像と同一のカテゴリの画像がお気に入りフォルダに登録されているかどうかを判断する（Ｓ２）。たとえば、登録されていない場合（Ｓ２，Ｎｏ）、本実施例の携帯電話機は、待ち受け画像を変更せずに待ち受け画像設定処理を終了する。一方、登録されている場合（Ｓ２，Ｙｅｓ）、本実施例の携帯電話機は、現在の待ち受け画像をメールに添付された画像に入れ替える処理を実行する（Ｓ３）。
【００１７】
上記待ち受け画像設定処理を行うことにより、本実施例の携帯電話機では、簡単な設定で、現在の待ち受け画像をユーザの好みに合った待ち受け画像に遠隔から入れ替え可能となる。
【００１８】
つづいて、本実施例の携帯電話機の構成を、図面にしたがって詳細に説明する。図３は、本実施例の携帯電話機のハードウェア構成例を示す図である。図３において、本実施例の携帯電話機は、プロセッサ１と記憶部２と表示部３とキー入力部４と、スピーカ６およびマイク７を制御する音声入出力部５と、アンテナ９を介して信号の送受信を行う無線部８、を有する。
【００１９】
プロセッサ１は、本実施例の画像設定プログラム等を実行する。記憶部２は、ＲＯＭ，ＲＡＭ等のメモリを含み、本実施例の画像設定プログラム等の各種プログラム，処理の過程で得られたデータ等を記憶する。プロセッサ１は、これらのプログラムを読み出して実行する。
【００２０】
また、表示部３は、ディスプレイであり、プロセッサ１の制御により画面の表示処理を行う。キー入力部４は、操作キー等である。音声入出力部５は、プロセッサ１の制御により、スピーカ６への音声出力処理（ＯＮ／ＯＦＦ制御）およびマイク７からの音声入力処理（ＯＮ／ＯＦＦ制御）を実行する。無線部８は、プロセッサ１の制御により、アンテナ９を介して通話データ（電子メールを含む）等を送受信する。
【００２１】
また、図４は、本実施例の携帯電話機の機能ブロック構成の一例を示す図であり、詳細には、上記プロセッサ１内の各機能部を示している。図４において、プロセッサ１は、無線制御部１１と呼制御部１２とメール送受信部１３と待ち受け画像設定部１４と画像タイプ判定部１５と表示制御部１６と入力制御部１７を有する。本実施例では、プロセッサ１内の各機能部により、後述する待ち受け画像設定処理を実現する。これらの機能ブロックは、プロセッサ１が記憶部２から各種プログラムを読み出して実行することで実現される。
【００２２】
なお、上記本実施例の携帯電話機のハードウェア構成および機能ブロック構成は、説明の便宜上、本実施例の処理にかかわる構成を列挙したものであり、携帯電話機のすべての機能を表現したものではない。
【００２３】
つづいて、プロセッサ１による待ち受け画像設定処理、すなわち、本実施例の画像設定プログラムによる処理を、図面を用いて詳細に説明する。図５は、本実施例の待ち受け画像設定処理を示すフローチャートである。
【００２４】
ここで、待ち受け画像設定処理の前提となる処理について説明する。まず、ユーザによるキー入力部４へのキー入力操作により、入力制御部１７から「お気に入りフォルダ」への画像の登録を指示された待ち受け画像設定部１４は、記憶部２内の所定領域（「マイピクチャ」領域）に登録されている画像データ（ＥＸＩＦ）を読み出す。そして、待ち受け画像設定部１４は、読み出したＥＸＩＦを、表示制御部１６を介して画像（画像一覧）として表示部３に表示する。その後、ユーザによるキー入力部４へのキー入力操作により、入力制御部１７から「お気に入りフォルダ」に登録するお気に入り画像が指示された場合、待ち受け画像設定部１４は、対応するＥＸＩＦを記憶部２内の「お気に入りフォルダ」領域に登録する。この際、待ち受け画像設定部１４は、ユーザによるキー入力部４へのキー入力操作により入力制御部１７から得られるカテゴリ情報を、ＥＸＩＦ付加情報として付加し、カテゴリ情報付加後のＥＸＩＦを登録する（図２参照）。ユーザは、「お気に入りフォルダ」領域へのお気に入り画像の登録処理を、１つ以上の画像について実行する。
【００２５】
また、ユーザによるキー入力部４へのキー入力操作により、入力制御部１７から前述した発信元メールアドレス等の情報を通知された待ち受け画像設定部１４は、それらの情報を、記憶部２内の「待ち受け画像設定情報」領域に登録する。
【００２６】
本実施例の携帯電話機は、上記お気に入り画像の登録および発信元メールアドレス等の登録が完了した状態で、図５に示す本実施例の待ち受け画像設定処理を実行する。
【００２７】
図５において、まず、無線制御部１１，呼制御部１２を介してメールを受信したメール送受信部１３は、記憶部２内の「待ち受け画像設定情報」領域に登録された発信元メールアドレスと、受信メールの発信元メールアドレスを比較する（Ｓ１１）。たとえば、一致しない場合（Ｓ１１，Ｎｏ）、メール送受信部１３は、通常のメール受信処理を実行し（Ｓ１４）、本実施例の待ち受け画像設定処理を終了する。
【００２８】
一方、Ｓ１１による比較の結果、一致する場合（Ｓ１１，Ｙｅｓ）、メール送受信部１３は、つぎに、記憶部２内の「待ち受け画像設定情報」領域に登録されたメールの題名である「待ち受け画像入替えメール」と、受信メールの題名を比較する（Ｓ１２）。たとえば、一致しない場合（Ｓ１２，Ｎｏ）、メール送受信部１３は、通常のメール受信処理を実行し（Ｓ１４）、本実施例の待ち受け画像設定処理を終了する。
【００２９】
一方、Ｓ１２による比較の結果、一致する場合（Ｓ１２，Ｙｅｓ）、メール送受信部１３は、受信メールが遠隔から待ち受け画像を入れ替えるためのメール（以後、“待ち受け画像入替えメール”と呼ぶ）であることを、待ち受け画像設定部１４に通知する。そして、プロセッサ１では、図６に示すように、「待ち受け画像設定」を実行する（Ｓ１３）。その後、メール送受信部１３は、通常のメール受信処理を実行し（Ｓ１４）、本実施例の待ち受け画像設定処理を終了する。
【００３０】
つづいて、Ｓ１３の「待ち受け画像設定」を詳細に説明する。図６は、Ｓ１３に示す「待ち受け画像設定」を示すフローチャートである。受信メールが“待ち受け画像入替えメール”であることを通知された待ち受け画像設定部１４は、画像タイプ判定部１５に対し、「お気に入りフォルダ」内のお気に入り画像のカテゴリを抽出する処理（「フォルダ画像カテゴリ抽出」）の実行を指示する。そして、この指示を受けた画像タイプ判定部１５は、図７に示す「フォルダ画像カテゴリ抽出」を実行する（Ｓ２１）。
【００３１】
ここで、図７に示す「フォルダ画像カテゴリ抽出」について説明する。まず、画像タイプ判定部１５は、記憶部２内のカテゴリ抽出ワークエリアを初期化する（Ｓ３１）。カテゴリ抽出ワークエリアは、お気に入り画像のＥＸＩＦに付加されたカテゴリ情報を記憶しておく領域である。図８−１は、初期化後のカテゴリ抽出ワークエリアを示す図である。Ｓ３１の初期化により、カテゴリ抽出ワークエリアは空の状態となる。
【００３２】
つぎに、画像タイプ判定部１５は、記憶部２内の「お気に入りフォルダ」領域に記憶されているＥＸＩＦの１つを参照する（Ｓ３２）。そして、画像タイプ判定部１５は、このＥＸＩＦに付加されているカテゴリ情報を抽出する（Ｓ３３）。
【００３３】
つぎに、画像タイプ判定部１５は、抽出したカテゴリ情報がすでに登録済みのカテゴリ情報である場合（Ｓ３４，Ｙｅｓ）、記憶部２内の「お気に入りフォルダ」領域に記憶されている全ＥＸＩＦからカテゴリ情報を抽出したかどうかを確認する（Ｓ３５）。一方、抽出したカテゴリ情報が未登録の新たなカテゴリ情報である場合（Ｓ３４，Ｎｏ）、画像タイプ判定部１５は、ここで抽出したカテゴリ情報を、記憶部２内のカテゴリ抽出ワークエリアに登録する（Ｓ３６）。そして、登録後、画像タイプ判定部１５は、記憶部２内の「お気に入りフォルダ」領域に記憶されている全ＥＸＩＦからカテゴリ情報を抽出したかどうかを確認する（Ｓ３５）。
【００３４】
その後、画像タイプ判定部１５は、記憶部２内の「お気に入りフォルダ」領域に記憶されている全ＥＸＩＦからのカテゴリ情報の抽出が完了するまで、上記Ｓ３２〜３６の処理を繰り返し実行する（Ｓ３５，Ｎｏ）。そして、「お気に入りフォルダ」領域に記憶されている全ＥＸＩＦからのカテゴリ情報の抽出が完了したタイミングで（Ｓ３５，Ｙｅｓ）、Ｓ２１の「フォルダ画像カテゴリ抽出」を終了する。図８−２は、「フォルダ画像カテゴリ抽出」実行後のカテゴリ抽出ワークエリアの一例を示す図である。ここでは、カテゴリ情報として、たとえば、「ネコ」と「キツネ」が抽出され、登録されている。
【００３５】
上記のようにＳ２１の「フォルダ画像カテゴリ抽出」を実行後、画像タイプ判定部１５は、つぎに、受信したメール（“待ち受け画像入替えメール”）に添付された画像のＥＸＩＦからカテゴリ情報を抽出する（Ｓ２２）。
【００３６】
つぎに、画像タイプ判定部１５は、上記Ｓ２１で登録したカテゴリ抽出ワークエリア内のカテゴリ情報と、上記Ｓ２２で抽出したカテゴリ情報とを比較する（Ｓ２３）。そして、カテゴリ抽出ワークエリア内のカテゴリ情報の中に、Ｓ２２で抽出したカテゴリ情報が含まれている場合（Ｓ２４，Ｙｅｓ）、画像タイプ判定部１５は、待ち受け画像設定部１４にその旨を通知する。
【００３７】
つぎに、待ち受け画像設定部１４は、記憶部２内の「待ち受け画像参照先」領域に記憶されている画像ファイル名（現在の待ち受け画像のファイル名）を、受信メールに添付された画像のファイル名に置き換える処理を行う（Ｓ２５）。これにより、表示制御部１６は、記憶部２内の「待ち受け画像参照先」領域から、必要に応じて最新の画像ファイル名を読み出し、待ち受け画像を表示することが可能となる。
【００３８】
つぎに、待ち受け画像設定部１４は、待ち受け画像のファイル名を受信メールに添付された画像のファイル名に置き換えた旨の情報をメール送受信部１３に通知する。そして、メール送受信部１３は、受信メールである“待ち受け画像入替えメール”の発信元に、待ち受け画像の入れ替えに成功したことを示す“待ち受け画像入替え成功メール”を返信する（Ｓ２６）。これにより、“待ち受け画像入替えメール”の発信元のユーザは、待ち受け画像の入れ替えに成功したことを知ることができる。
【００３９】
一方、Ｓ２４の処理において、カテゴリ抽出ワークエリア内のカテゴリ情報の中に、Ｓ２２で抽出したカテゴリ情報が含まれていなかった場合（Ｓ２４，Ｎｏ）、画像タイプ判定部１５は、待ち受け画像設定部１４を介してメール送受信部１３にその旨を通知する。そして、メール送受信部１３は、受信メールである“待ち受け画像入替えメール”の発信元に、待ち受け画像の入れ替えに失敗したことを示す“待ち受け画像入替え失敗メール”を返信する（Ｓ２７）。この際、メール送受信部１３は、記憶部２から「お気に入りフォルダ」領域に記憶された画像（ＥＸＩＦ）のカテゴリ情報を読み出し、“待ち受け画像入替え失敗メール”の本文に、「お気に入りフォルダ」に記憶された画像のカテゴリ情報一覧を記載する。これにより、“待ち受け画像入替えメール”の発信元のユーザは、本実施例の携帯電話機を所有するユーザの好みを知ることができる。
【００４０】
上述してきたように、本実施例では、「お気に入りフォルダ」に記憶された画像のＥＸＩＦに付加されたカテゴリ情報と、“待ち受け画像入替えメール”に添付された画像のＥＸＩＦに付加されたカテゴリ情報とを比較する。そして、一致するカテゴリ情報があった場合に、現在の待ち受け画像を“待ち受け画像入替えメール”に添付された画像に変更することとした。これにより、簡単な設定で、ユーザの好みに合った待ち受け画像を遠隔から設定可能となる。
【符号の説明】
【００４１】
１  プロセッサ
２  記憶部
３  表示部
４  キー入力部
５  音声入出力部
６  スピーカ
７  マイク
８  無線部
９  アンテナ
１１  無線制御部
１２  呼制御部
１３  メール送受信部
１４  待ち受け画像設定部
１５  画像タイプ判定部
１６  表示制御部
１７  入力制御部
【図１】
0005652291.tif 000002
【図２−１】
0005652291.tif 000003
【図２−２】
0005652291.tif 000004
【図３】
0005652291.tif 000005
【図４】
0005652291.tif 000006
【図５】
0005652291.tif 000007
【図６】
0005652291.tif 000008
【図７】
0005652291.tif 000009
【図８−１】
0005652291.tif 000010
【図８−２】
0005652291.tif 000011